(57)【要約】【課題】床板とステップとの間に大きなな角度を成すことを無くして乗客がステップからくし板の上を渡る際に躓き転倒するのを防止し、かつステップ上の紙屑や煙草等のゴミを床板の側面に設けられたゴミ箱へ案内し排出できるエスカレータのくし板を提供すること。【解決手段】乗客を乗せて移動するステップ１と、前記ステップ１が降口側へ移動した時に下面側を通過するくし板６と、スカートガード３に設けられたゴミ箱５とを備えたエスカレータにおいて、くし板６の形状は、ステップ１の先端部とくし板６の先端部とが所定の鋭角を成すように構成した。【選択図】図１
2014213949.tif 000002
【特許請求の範囲】
【請求項１】
乗客を乗せて移動するステップと、前記ステップが降口側へ移動した時に下面側を通過するくし板と、スカートガードに設けられたゴミ箱とを備えたエスカレータにおいて、
前記くし板の形状は、前記ステップの先端部と前記くし板の先端部とが所定の鋭角を成す形状としたことを特徴とする前記エスカレータのくし板。
【発明の詳細な説明】
【技術分野】
【０００１】
本発明はエスカレータのくし板に関し、特にくし板に溜まったごみなどを自動的に除去することが可能なエスカレータのくし板に関する。
【背景技術】
【０００２】
エスカレータには上部機械室と下部機械室にそれぞれ踏段チェーン駆動スプロケットと踏段チェーン従動スプロケットが備えられており、踏段チェーン駆動スプロケットと踏段チェーン従動スプロケット間にはチェーンが掛けられている。このチェーンには等間隔で複数のステップが固定されている。モータを駆動させることで踏段チェーン駆動スプロケットが回転しチェーンが移動する。これによりステップは現在階から他階へと移動する。
【０００３】
乗客は移動するステップに乗ることで階間を移動することができる。
【０００４】
特許文献１には、乗客を乗せて移送するためのステップと、降口側に設けられ移送されるステップが下面側を通過する床板と、この床板の両側端に設けられたゴミ箱とを備え、前記床板の先端側をこの略中央が突出するような曲線で形成し、前記ステップ上の紙屑や煙草等のゴミが前記先端部に案内されて前記ゴミ箱に入るようにしたものが開示されている。
【先行技術文献】
【特許文献】
【０００５】
【特許文献１】実開平７−２８１７２号
【発明の概要】
【発明が解決しようとする課題】
【０００６】
特許文献１に記載のエスカレータのくし板とステップ間に溜まるゴミの移送装置は、乗客を乗せて移送するためのステップと、降口側に設けられ移送されるステップが下面側を通過する床板と、この床板の両側端に設けられたゴミ箱とを備え、前記床板の先端側をこの略中央が突出するような曲線で形成し、前記ステップ上の紙屑や煙草等のゴミが前記先端部に案内されて前記ゴミ箱に入る構成を有している。
【０００７】
ここで、前記床板の先端部の傾斜角度が小さい場合、紙屑や煙草等のゴミが床板の上に載ってしまい、ゴミが前記先端部に案内されず床板とステップの間にゴミが溜まってしまう。このようなことから上記特許文献のエスカレーターの床板とステップ間に溜まったゴミを移送する装置を実現する方法として、ステップ上面に対する床板の傾斜角度を大きくすることにより、ステップ上のゴミが床板の中央先端側から両側端に案内されてゴミ箱に入り易くすることが考えられる。
【０００８】
しかし、床板の傾斜を大きな角度とした場合、ステップと床板との間に段差が形成され、乗客が次の階床へ移動するためにステップから床板の上を移動する際に、この床板とステップとの段差に躓き転倒するおそれがある。
【０００９】
本発明の目的は、床板とステップとの間に大きな傾斜角度を成すことをなくして乗客がステップからくし板の上を渡る際に躓き転倒するのを防止し、かつステップ上のゴミを床板の側面に設けられたゴミ箱へ確実に案内できるエスカレータのくし板を提供することにある。
【課題を解決するための手段】
【００１０】
本発明は、乗客を乗せて移動するステップと、前記ステップが降口側へ移動した時に下面側を通過するくし板と、スカートガードに設けられたゴミ箱とを備えたエスカレータにおいて、前記くし板の形状は、前記ステップの先端部と前記くし板の先端部とが所定の鋭角を成す形状としたことを特徴とする。
【００１１】
このような構成によれば、ステップの上に載った紙屑や煙草等のゴミは、ステップの移動によってくし板のある降口側へ移動する。また、くし板の形状はステップの先端部とくし板の先端部とが所定の鋭角を成していることにより、ゴミはステップが移動するにつれてくし板の手前側から奥側へと移動し、スカートガードに設置したゴミ箱へ入り排出される。さらに、床板の線端に大きなな傾斜角度を成す必要が無いためくし板の傾斜を通常のエスカレータ製品のくし板と同等の角度とすることができ、乗客がステップからくし板の上を渡る際に躓いたり転倒することを低減・防止することができる。
【発明の効果】
【００１２】
以上の構成とした本発明によれば、エスカレータのステップ上のごみを自動で確実に排出する機能と、乗客がくし板の上を渡る際の躓き防止や転倒防止とを同時に実現することが可能である。
【図面の簡単な説明】
【００１３】
【図１】本発明の実施例のエスカレータのステップとくし板との関係を示す図である。
【図２】図１のくし板部分を抜粋した図である。
【発明を実施するための形態】
【００１４】
図１は、本発明の実施例のエスカレータのステップとくし板との関係を示す図である。
【００１５】
図１において、エスカレータは、上部機械室と下部機械室にそれぞれ設置してある図示しない踏段チェーン駆動スプロケットと図示しない踏段チェーン従動スプロケット、踏段チェーン駆動スプロケットと踏段チェーン従動スプロケット間に掛けた図示しないチェーンとで構成されており、前記チェーンには等間隔で複数のステップ１が固定されている。
【００１６】
ステップ１の両側にはハンドレール２とハンドレール２の下にスカートガード３が設置されている。ステップ１とスカートガード３が接する部分に開口部４があり、この開口部４にはゴミ箱５が設置されている。このゴミ箱５は、ステップ１の床面より低い位置に設置されている。
【００１７】
図示しないモータを駆動させることで踏段チェーン駆動スプロケットが回転し、チェーンが移動する。これによりステップ１はくし板５とカバープレート７が設置されている降口側に移動する。ステップ１の上に載った紙屑や煙草等のゴミ８は、ステップ１の移動によって、くし板６のある降口側へ移動する。くし板６の形状は、図２に示すとおりステップ１端に対して所定の鋭角αを有した形状になっている。これにより、図１においてステップ１が移動することでゴミ８はくし板６の手前側から奥側へ移動し、開口部４を通ってスカートガード３に設置したゴミ箱４へ入り、結果的にゴミ８は自動で排出されることとなる。また、図２に示すとおりくし板５の傾斜角度を通常の製品と同等の所定角度βとすることで、乗客がステップ１からくし板５の上を渡る際に躓き転倒するのを低減・防止することができる。
【符号の説明】
【００１８】
１  ステップ
２  ハンドレール
３  スカートガード
４  開口部
５  ゴミ箱
６  くし板
７  カバープレート
８  ゴミ  
α  ステップ１とくし板５の角度
β  くし板５の傾斜角度
【図１】
2014213949.tif 000003
【図２】
2014213949.tif 000004